(57)【要約】【課題】  画像読み取り装置において、回転可能な白色棒を画像読み取り部に有し、読み取り部のガラスに付着した紙片などのゴミ検知を原稿の紙間を利用して検知する。【解決手段】  シートスルーＡＤＦにおける原稿読み取りの生産性を妨げないように、回転可能な白色棒５０を画像読み取り部に有する画像読み取り装置にあって、前記読み取り部のコンタクトガラス５１に付着した紙片を含むゴミのゴミ検知を原稿の紙間を利用して検知する。【選択図】  図３
2005197895.tif 000002
【特許請求の範囲】
【請求項１】
シートスルーＡＤＦにおける画像読み取り装置において、回転可能な白色棒を画像読み取り部に有し、前記読み取り部のコンタクトガラスに付着した紙片を含むゴミを原稿の紙間を利用して検知することを特徴とする画像読み取り装置。
【請求項２】
一定速度で回転する白色棒によりゴミ検知を行うことを特徴とする請求項１記載の画像読み取り装置。
【請求項３】
白色基準の白板と前記白色棒の白レベルを読み取り、前記白色棒の汚れを検知することを特徴とする請求項２記載の画像読み取り装置。
【請求項４】
前記白色棒の汚れを検知した場合、ユーザに前記白色棒のガラス部が汚れていることを通知することを特徴とする請求項３記載の画像読み取り装置。
【発明の詳細な説明】
【技術分野】
【０００１】
本発明は、とくにスキャナ、複写機、ファクシミリ、複合機などの、シートスルーＡＤＦを使用する画像読み取り装置に関するものである。
【背景技術】
【０００２】
シートスルーＡＤＦにて原稿読み取りを行う場合、紙片などによって黒スジが発生するが、ゴミ検知を行う場合には、読み取り部で基準白板を読み取る必要があることは知られている（例えば特許文献１ないし３参照）。
【特許文献１】特開２００１−１５７０４６公報
【特許文献２】特開２００２−２８１２５１公報
【特許文献３】特許第３１５９４７０号
【発明の開示】
【発明が解決しようとする課題】
【０００３】
そこで、ゴミ検知を行うことになるが、シートスルーＡＤＦによる原稿の連続読み取りによって、スキャナ、複写機などの生産性に影響しないようにする必要がある。また、シートスルーによる連続画像読み取りでゴミ検知を行うためには、基準白板となる対象物を種々の場所で数ラインを読み取る必要がある。
さらに、白色棒を用いた場合この白色棒が汚れると、ゴミ検知が困難になるので、白色棒が汚れているかどうか検出する必要がある。白色棒が汚れてもユーザは気がつかないので、警告として通知し、清掃を促す必要がある。
そこで本発明の目的は、上述した実情を考慮して、回転可能な白色棒を画像読み取り部に有し、読み取り部のガラスに付着した紙片などのゴミを原稿の紙間を利用して検知する画像読み取り装置を提供することにある。
【課題を解決するための手段】
【０００４】
上記の課題を解決するために、請求項１に記載の発明は、シートスルーＡＤＦにおける画像読み取り装置において、回転可能な白色棒を画像読み取り部に有し、前記読み取り部のコンタクトガラスに付着した紙片を含むゴミを原稿の紙間を利用して検知する画像読み取り装置を特徴とする。
また、請求項２に記載の発明は、一定速度で回転する白色棒によりゴミ検知を行う請求項１記載の画像読み取り装置を特徴とする。
また、請求項３に記載の発明は、白色基準の白板と前記白色棒の白レベルを読み取り、前記白色棒の汚れを検知する請求項２記載の画像読み取り装置を特徴とする。
また、請求項４に記載の発明は、前記白色棒の汚れを検知した場合、ユーザに前記白色棒のガラス部が汚れていることを通知する請求項３記載の画像読み取り装置を特徴とする。
【発明の効果】
【０００５】
本発明によれば、原稿の紙間で読み取り部の上部にある白色棒を読み取ることにより読み取り部ガラス上のゴミを検出するため、生産性を下げることなくごみ検知を行うことができる。
シートスルーＡＤＦの原稿読み取りの場合、読み取りの生産性が重要となるが、紙片などにより発生する黒スジを検出するために、生産性を低下させることはできない。また、一定に回転する白色棒を読み取ることにより、キャリッジを移動することなく白色棒をゴミ検知に必要なライン数を読み取ることができる。
【発明を実施するための最良の形態】
【０００６】
以下、図面を参照して、本発明の実施形態を詳細に説明する。図１は本発明に係る画像読み取り装置の実施形態の全体構成図である。まず、本発明の構成動作を説明する。
原稿台ガラス１上に置かれる原稿（図示せず）は、第１ミラー２と一体に構成された照明ランプ３により照射され、その反射光は、第１ミラー２および一体に構成された第２ミラー４、第３ミラー５で走査される。
その後反射光は、レンズ３１により集束され、ＣＣＤ６に照射され光電変換される。第１ミラー２、照明ランプ３および第２ミラー４、第３ミラー５は、走行体モータ７を駆動源として、Ａ方向に移動可能となっている。
原稿トレイ８に積載された原稿は、ピックアップローラ９、レジストローラ対１０、搬送ドラム１１、搬送ローラ１２により読み取り位置Ｂを経て、搬送ローラ対１３および排紙ローラ対１４へ送り込まれ、排紙トレイ３２上に排出される。
原稿は、読み取り位置Ｂを通過する際に、読み取り位置Ｂ近傍に移動されている照明ランプ３により照射され、その反射光は、第１ミラー２および一体に構成された第２ミラー４、第３ミラー５で走査される。その後反射光は、レンズ３１により集束され、ＣＣＤ６に照射され光電変換される。
ピックアップローラ９、レジストローラ対１０は、給紙モータ（図示せず）により駆動され、搬送ドラム１１、搬送ローラ１２、搬送ローラ対１３、排紙ローラ対１４は、搬送モータ（図示せず）により駆動される。
読み取り位置Ｃには密着イメージセンサ１５が設置されている。密着イメージセンサ１５は、光源であるＬＥＤ（図示せず）、レンズ（図示せず）、センサ素子（図示せず）で構成されている。原稿は、読み取り位置Ｃを通過するさいに、読み取り位置Ｂで読み取られた反対の面（裏面）を読み取り位置Ｃに設置されている密着イメージセンサ１５内のランプにより照射される。
その反射光は密着イメージセンサ１５上のレンズにより集束され、密着イメージセンサ１５上のセンサ素子が照射され光電変換される。密着イメージセンサ１５の原稿を挟んだ対向部には白色ローラ１７が設置されていて、密着イメージセンサ１５による読み取り時のシェーディング補正用白色部材として使用され得る。
搬送ローラ対１３と排紙ローラ対１４の間には、エンドーサユニット１８とエンドーサプラテン１９が設置されている。エンドーサユニット１８はインクを染み込ませたアルファベット文字と数字の印からなる印字部と、印字部をエンドーサプラテン方向に加圧する加圧ソレノイド（図示せず）から構成されている。
原稿をエンドーサユニット１８上に停止させ、エンドーサプラテン１９で加圧方向に固定し、エンドーサユニット１８の印字部への加圧により原稿面にアルファベット文字や数字を印字することができる。
【０００７】
図２は本発明に係る画像読み取り装置を示す全体ブロック図である。図２において、ＳＢＵ２０上のＣＣＤ６に入光した原稿の反射光は、ＣＣＤ６内で光の強度に応じた電圧値を持つアナログ信号に変換される。アナログ信号は、奇数ビットと偶数ビットに分かれて出力される。
上記アナログ画像信号は、ＳＢＵ２０上でアナログ処理回路（図示せず）暗電位部分が取り除かれ、奇数ビットと偶数ビットが合成され、所定の振幅にゲイン調整された後にＡ／Ｄコンバータに入力されデジタル信号化される。
デジタル化された画像信号は、ＳＣＵ２１上のＮＩＰＵ３３で、シェーディング補正、ガンマ補正、ＭＴＦ補正等が行なわれた後、２値化され、ページ同期信号、ライン同期信号、画像クロックとともにビデオ信号として出力される。
ＮＩＰＵ３３から出力されたビデオ信号は、コネクタ３４を介してオプションＩＰＵ２６へ出力されている。オプションＩＰＵ２６へ出力されたビデオ信号は、オプションＩＰＵ２６内で所定の画像処理が行なわれ、再びＳＣＵ２１へ入力される。
再びＳＣＵ２１へ入力されたビデオ信号は、セレクタ（図示せず）に入力される。前記セレクタのもう一方の入力はＮＩＰＵ３３から出力されたビデオ信号となっていて、オプションＩＰＵ２６で画像処理を施すか否かを選択できる構成となっている。
前記セレクタから出力されたビデオ信号は、画像データ記憶手段（ＤＲＡＭ）を管理するＳｉＢＣ３５に入力され、ＤＲＡＭで構成される画像メモリに蓄えられる。画像メモリに蓄えられた画像データは、ＳＣＳＩコントローラ３６に送られ、パソコン等の外部装置へ転送される。
また、ＳＣＵ２１上には拡張スロット（図示せず）が用意され、ＳｉＢＣ３５によって制御される画像データは拡張スロット（図示せず）を介して接続される拡張インターフェースユニットに転送され、所定のインターフェース手段により外部装置に転送できる構成を採る。
【０００８】
図２においては一例として拡張スロット（図示せず）に接続されるユニットにネットワークコントローラ２７を挙げており、図２の構成によれば、ネットワークコントローラ２７を介して本画像読み取り装置をネットワーク環境下で使用することが可能となる。
またこのとき、ネットワーク対応としてネットワーク操作パネル２９を本画像読み取り装置に接続し、ネットワーク操作パネル２９から本画像読み取り装置の操作を行うことが可能となる。
密着イメージセンサ１５で光電変換されたアナログ画像信号は、ＲＳＢＵ１６上でデジタル変換される。デジタル化された画像信号は、ＲＳＢＵ１６上でシェーディング補正が施された後に、ＲＣＵ２３へ送られる。
ＲＣＵ２３は、 ＤＲＡＭで構成される画像メモリと画像データメモリを制御するＳｉＢＣで構成され、画像データをいったん画像メモリに蓄積した後にＳＣＵ２１へ転送する。ＲＣＵ２３からＳＣＵ２１へ送られた画像データと、ＳＣＵ２１上のＳｉＢＣ３５から出力される画像データは切り替え可能となっており、いずれかの画像データを選択してＳＣＳＩコントローラ３６へ転送される。
ＳＣＵ２１上には、ＣＰＵ３７、ＲＯＭ３８、ＲＡＭ３９が実装されており、ＣＰＵ３７はＳＣＳＩコントローラ３６を制御してパソコン等の外部装置との通信を行う。また、ＣＰＵ３７は、ステッピングモータである走行体モータ７、給紙モータ、搬送モータのタイミング制御も行っている。
ＡＤＵ３０は自動原稿搬送機構（ＡＤＦ）部に用いる電装部品の電力供給を中継する機能を有している。ＳＣＵ２１上のＣＰＵ３７に接続されている入力ポートは、ＩＯＢ２４を介して本体操作パネル２８に接続されている。
本体操作パネル２８上にはスタートスイッチ（図示せず）とアボートスイッチ（図示せず）が実装されている。それぞれのスイッチが押下されると入力ポートを介してＣＰＵ３７はスイッチがオンされたことを検出する。
また、本体操作パネル２８上にはＬＥＤ（図示せず）が用意され、本画像読み取り装置のステータス、例えば画像データ転送中や本体エラー発生などの表示を行う。
【０００９】
図３は本発明による原稿読み取りを説明する概略図である。図３のように、コンタクトガラス５１、基準白色５４、白色ローラ（白色棒）５０、シートスルー読み取り位置５３のような構成で、図３のように搬送ローラ５５、５６で搬送することにより原稿５２の読み取りを行うことができる。
回転可能な白色ローラ５０が一定回転している状態で、原稿５２が搬送ローラ５５、５６で搬送される。
図４は本発明によるゴミ検知の処理手順を説明するフローチャートである。原稿を給紙し（Ｓ１）、読み取りを行う前に１枚目のゴミ検知（Ｓ２）、そしてシェーディング（Ｓ３）を行う。
シェーディング（Ｓ３）後、読み取りを行い（Ｓ４）、読み取り原稿の後端がシートスルー読み取り位置を抜けたどうかを判断し（Ｓ５）、抜けたとき、ゴミ検知は２枚目のゴミ検知を開始し（Ｓ６）、次にシェーディング（Ｓ７）を行う。次の原稿が読み取り位置に到達するまでにゴミ検知、シェーディングを終了する。
また、本方式では、白色ローラ５０のどの位置からでもゴミ検知を行うことができる。したがって、紙間でゴミ検知を行うので読み取りの生産性を低下させることがない。
また、白色棒（白色ローラ）５０を回転させながら、原稿５２を給紙中にゴミ検知を行う。一定速度で回転する白色棒５０を数ライン読み取り、ゴミ検知を行う。２枚目は原稿５２の紙間でゴミ検知を行う。そのため、キャリッジを固定したままで、ゴミ検知のための白板読み取りを行うことができる。
ホーミング位置のキャリッジを移動させ、基準白板（基準白色）５４を読み取り、ホーミングした後、白色棒５０を回転させ、読み取り、基準白板５４と白色棒５０の白レベル差が閾値をこえると白色棒５０が汚れていると判断する。
上記で検出した白色棒５０の汚れを操作部のＬＣＤ表示器に「汚れています」と表示し、例えば、読み取り部コンタクトガラス５１の掃除を促すようなメッセージを表示する。
シートスルーＡＤＦの原稿読み取りの場合、読み取りの生産性が重要となるが、紙片などにより発生する黒スジを検出するために、生産性を低下させることはできない。
本発明では、一定に回転する白色棒を読み取ることにより、キャリッジを移動することなく白色棒をゴミ検知に必要なライン数を読み取ることができる。また、白色棒が汚れても、白色棒が汚れていることを検出できる。
さらに、本発明では、白色棒が汚れていてもユーザが気が付かない場合があるが、ゴミを検出すると操作部のＬＣＤ表示器に「汚れています」と表示されるため、白色棒が汚れたことをユーザが認知することができる。
【図面の簡単な説明】
【００１０】
【図１】本発明に係る画像読み取り装置を示す全体構成図である。
【図２】本発明に係る画像読み取り装置を示す全体ブロック図である。
【図３】本発明による原稿読み取りを説明する概略図である。
【図４】本発明によるゴミ検知の処理手順を説明するフローチャートである。
【符号の説明】
【００１１】
２９  ネットワーク操作パネル
３７  制御部（ＣＰＵ）
５０  白色ローラ（白色棒）
５１  コンタクトガラス
５２  原稿
５３  シートスルー読み取り位置
５４  基準白色
【図１】
2005197895.tif 000003
【図２】
2005197895.tif 000004
【図３】
2005197895.tif 000005
【図４】
2005197895.tif 000006